(57)【要約】【課題】記録バッファのメモリ容量を画質や音質に影響を与えることなく低減し、かつ、ストリームデータ作成時の時間と情報の一致性の確保を容易とする。【解決手段】光ディスク１への情報の記録時、ＤＶＤ−ＶＩＤＥＯ規格に従い、リアルタイムデータの再生単位であるＣｅｌｌを１個のＶＯＢで構成し、このＶＯＢを複数個のＶＯＢＵ（Ｖｉｄｅｏ  Ｏｂｊｅｃｔ  Ｕｎｉｔ  ）で構成し、ＶＯＢＵに含まれるナビゲーションパックのＶＯＢＵ間の位置情報を示すＶＯＢＵサーチインフォメーションの情報を、１個のＶＯＢＵの再生時間を０．５秒として１時間記録モードでは２０ＶＯＢＵ先までと規定し、かつ、Ｃｅｌｌを１時間記録モードにおいて１５秒の記録時間に設定する。そして、１時間記録モードでは固定ビットレートで光ディスク１に情報を記録し、それ以外の記録モードでは可変ビットレートで光ディスク１に情報を記録する。【選択図】  図１
2004227693.tif 000002
【特許請求の範囲】
【請求項１】
光ディスクへの情報の記録時、ＤＶＤ−ＶＩＤＥＯ規格に従い、リアルタイムデータの再生単位であるＣｅｌｌを１個のＶＯＢで構成し、このＶＯＢを複数個のＶＯＢＵ（Ｖｉｄｅｏ  Ｏｂｊｅｃｔ  Ｕｎｉｔ  ）で構成し、ＶＯＢＵに含まれるナビゲーションパック（ＮＶ＿ＰＣＫ）のＶＯＢＵ間の位置情報を示すＶＯＢＵサーチインフォメーション（ＶＯＢＵ＿ＳＲＩ）の情報を、１個のＶＯＢＵの再生時間を０．５秒として１時間記録モードでは２０ＶＯＢＵ先までと規定し、かつ、前記Ｃｅｌｌを１時間記録モードにおいて１５秒の記録時間に設定して、１時間記録モードでは固定ビットレートで記録し、それ以外の記録モードでは可変ビットレートで記録することにより、記録バッファのメモリ容量を低減する一方、ＭＰＥＧエンコーダ部において、ＶＯＢ（Ｖｉｄｅｏ  Ｏｂｊｅｃｔ）の最初の表示時間であるビデオスタートプレゼンテーションタイム（ＶＯＢ＿Ｖ＿Ｓ＿ＰＴＭ）と、各記録時間モードに対応して決められたＶＯＢ（Ｖｉｄｅｏ  Ｏｂｊｅｃｔ）の時間から求めた最後の表示時間であるビデオエンドプレゼンテーションタイム（ＶＯＢＵ＿Ｖ＿Ｅ＿ＰＴＭ）とを決定して前記ナビゲーションパック（ＮＶ＿ＰＣＫ）に記録することを特徴とする情報処理装置。
【請求項２】
光ディスクへの情報の記録時、ＤＶＤ−ＶＩＤＥＯ規格に従い、リアルタイムデータの再生単位であるＣｅｌｌを１個のＶＯＢで構成し、このＶＯＢを複数個のＶＯＢＵ（Ｖｉｄｅｏ  Ｏｂｊｅｃｔ  Ｕｎｉｔ  ）で構成し、かつ、ＶＯＢＵに含まれるナビゲーションパック（ＮＶ＿ＰＣＫ）のＶＯＢＵ間の位置情報を示すＶＯＢＵサーチインフォメーション（ＶＯＢＵ＿ＳＲＩ）の情報を、１個のＶＯＢＵの再生時間を０．５秒として１時間記録モードでは２０ＶＯＢＵ先までと規定して、１時間記録モードは固定ビットレートでかつＶＯＢＵサイズを固定として記録し、それ以外の記録モードは可変ビットレートで記録することにより、記録バッファのメモリ容量を低減することを特徴とする情報記録装置。
【請求項３】
前記Ｃｅｌｌは、１時間記録モードにおいて１５秒の記録時間に設定されていることを特徴とする請求項２に記載の情報記録装置。
【請求項４】
アナログ信号からデジタル信号に変換された映像情報を光ディスクに記録可能な形式に変換するＭＰＥＧエンコーダ部を備えており、このＭＰＥＧエンコーダ部においてＶＯＢ（Ｖｉｄｅｏ  Ｏｂｊｅｃｔ）の分割を行い、その分割情報を前記ナビゲーションパック（ＮＶ＿ＰＣＫ）に記録することを特徴とする請求項２に記載の情報処理装置。
【請求項５】
前記分割情報が、ＶＯＢ（Ｖｉｄｅｏ  Ｏｂｊｅｃｔ）の最初の表示時間であるビデオスタートプレゼンテーションタイム（ＶＯＢ＿Ｖ＿Ｓ＿ＰＴＭ）と、各記録時間モードに対応して決められたＶＯＢ（Ｖｉｄｅｏ  Ｏｂｊｅｃｔ）の時間から求めた最後の表示時間であるビデオエンドプレゼンテーションタイム（ＶＯＢＵ＿Ｖ＿Ｅ＿ＰＴＭ）とを含むことを特徴とする請求項４に記載の情報処理装置。
【発明の詳細な説明】
【０００１】
【発明の属する技術分野】
本発明は、記録時におけるバッファのメモリ容量の低減を図った情報記録装置に係り、特に、ＤＶＤ（Ｄｉｇｉｔａｌ  Ｖｉｄｅｏ  Ｄｉｓｃ）−ＶＩＤＥＯ規格に従って記録を行うＤＶＤレコーダに関する。
【０００２】
【従来の技術】
ＤＶＤレコーダは、ＤＶＤ−ＶＩＤＥＯ規格に従って記録を行う。
図２は、ＤＶＤ−ＶＩＤＥＯ規格のＶＯＢＳ（Ｖｉｄｅｏ  Ｏｂｊｅｃｔ  Ｓｅｔ）の基本構成を示している。
【０００３】
ＤＶＤ−ＶＩＤＥＯ規格は周知の如く階層構造となっており、ＶＯＢ（Ｖｉｄｅｏ  Ｏｂｊｅｃｔ）は１または複数個のＣｅｌｌで構成され、Ｃｅｌｌも１または複数個のＶＯＢＵ（Ｖｉｄｅｏ  Ｏｂｊｅｃｔ  Ｕｎｉｔ  ）で構成される。そして、ＶＯＢＵには、その先頭にナビゲーションパック（ＮＶ＿ＰＣＫ）が記録され、その後に続いて、オーディオパック（Ａ＿ＰＣＫ）、ビデオパック（Ｖ＿ＰＣＫ）、サブピクチャパック（ＳＰ＿ＰＣＫ）が多重化されて時分割で記録される。
【０００４】
また、ＮＶ＿ＰＣＫは、図３に示すように、ＰＣＩ（Ｐｒｅｓｅｎｔａｔｉｏｎ  Ｃｏｎｔｒｏｌ  Ｉｎｆｏｒｍａｔｉｏｎ）とＤＳＩ（Ｄａｔａ  Ｓｅａｒｃｈ  Ｉｎｆｏｒｍａｔｉｏｎ）  の２種類のパケット（ＰＫＴ）からなり、ＰＣＩには再生表示に関する制御情報として、このＶＯＢＵを管轄するＶＯＢ（Ｖｉｄｅｏ  Ｏｂｊｅｃｔ）の最初の表示時間であるビデオスタートプレゼンテーションタイム（ＶＯＢ＿Ｖ＿Ｓ＿ＰＴＭ）及び最後の表示時間であるビデオエンドプレゼンテーションタイム（ＶＯＢ＿Ｖ＿Ｅ＿ＰＴＭ）などが記録されている。また、ＤＳＩにはアクセスに関する制御情報が記録されている。
【０００５】
そして、ＤＶＤ−ＶＩＤＥＯ規格では、ＶＯＢＵのＮＶ＿ＰＣＫのところに、ＶＯＢの最初の表示時間であるＶＯＢ＿Ｖ＿Ｓ＿ＰＴＭと最後の表示時間であるＶＯＢ＿Ｖ＿Ｅ＿ＰＴＭとを記録する必要があり、かつ、これらの値は、同じＶＯＢによって管轄される全てのＶＯＢＵのＮＶ＿ＰＣＫについて全て同じ値を記録しなければならない決まりになっている。すなわち、１個のＶＯＢの最後の表示時間であるＶＯＢ＿Ｖ＿Ｅ＿ＰＴＭを、情報を記録し始める前に予め決めておく必要がある。
【０００６】
このような制約から、従来のＤＶＤレコーダでは、記録前でもＶＯＢの最後の表示時間であるＶＯＢ＿Ｖ＿Ｅ＿ＰＴＭが決定できるように、固定ビットレート方式で記録を行っていた。
【０００７】
なお、このようなＤＶＤ規格に従って、複数チャンネルの情報を同時に記録可能とした情報記録装置も提案されている（例えば、特許文献１参照）。
【０００８】
【特許文献１】
特開２０００−１１３５９０号公報
【０００９】
【発明が解決しようとする課題】
しかしながら、上記のように、長時間記録を固定ビットレート方式で行う場合、可変ビットレートで記録を行う場合に比べて画質の面で不利であり、長時間記録に適さないといった問題があった。また、特殊再生の早送り再生等で用いられるＶＯＢＵサーチインフォメーションを例えば５ＶＯＢＵ先までとした場合には、早送りが飛ぶように見え、なめらかに行かないので違和感があるといった問題もあった。
【００１０】
また、アナログ信号からデジタル信号に変換された映像情報を光ディスクに記録可能な形式に変換するＭＰＥＧエンコーダ部では、装置全体を制御するメインＭＣＵとの共同作業によって（すなわち、データのやり取りの中で）、ナビゲーションパック（ＮＶ＿ＰＣＫ）やオーディオパック（Ａ＿ＰＣＫ）といったストリームデータを作成している。すなわち、ＶＯＢの最初の表示時間であるＶＯＢ＿Ｖ＿Ｓ＿ＰＴＭ及び最後の表示時間であるＶＯＢ＿Ｖ＿Ｅ＿ＰＴＭを決定してナビゲーションパック（ＮＶ＿ＰＣＫ）に記録している。
【００１１】
この場合、時間情報であるＶＯＢ＿Ｖ＿Ｅ＿ＰＴＭやＶＯＢ＿Ｖ＿Ｓ＿ＰＴＭは、９０ｋＨｚ単位の正確な時間単位で収集する必要があるが、上記したように、このような情報の収集をＭＰＥＧエンコーダ部とメインＭＣＵのデータのやり取りの中で行っているため、収集した情報と時間との一致性を常に確認しながら処理を行う必要があり、煩雑な処理手順となっていた。
【００１２】
本発明はかかる問題点を解決すべく創案されたもので、その目的は、記録時の記録バッファのメモリ容量を、画質や音質に影響を与えることなく低減することができるとともに、ストリームデータの作成をＭＰＥＧエンコーダ部単独で行う構成とすることにより、時間と情報の一致性を容易に確保することのできる情報記録装置を提供することにある。
【００１３】
【課題を解決するための手段】
本発明の情報記録装置は、光ディスクへの情報の記録時、ＤＶＤ−ＶＩＤＥＯ規格に従い、リアルタイムデータの再生単位であるＣｅｌｌを１個のＶＯＢで構成し、このＶＯＢを複数個のＶＯＢＵ（Ｖｉｄｅｏ  Ｏｂｊｅｃｔ  Ｕｎｉｔ  ）で構成し、かつ、ＶＯＢＵに含まれるナビゲーションパック（ＮＶ＿ＰＣＫ）のＶＯＢＵ間の位置情報を示すＶＯＢＵサーチインフォメーション（ＶＯＢＵ＿ＳＲＩ）の情報を、１個のＶＯＢＵの再生時間を０．５秒として１時間記録モードでは２０ＶＯＢＵ先（１０秒先）までと規定する。また、前記Ｃｅｌｌは、１時間記録モードにおいて１５秒の記録時間に設定されている。
【００１４】
ＤＶＤ−ＶＩＤＥＯ規格では、ＶＯＢＵサーチインフォメーション（ＶＯＢＵ＿ＳＲＩ）の情報は、フォワードアイ（ＦＷＤＩ２４０）からバックワードアイ（ＢＷＤＩ２４０）まであり、フォワードアイ（ＦＷＤＩ）の情報については、ＦＷＤＩ１〜１５、ＦＷＤＩ２０、ＦＷＤＩ６０、ＦＷＤＩ１２０、ＦＷＤＩ２４０となっている。つまり、ＦＷＤＩ２０の次はＦＷＤＩ６０となっており、その間の情報は持たないようになっている。ＦＷＤＩ２０は２０ＶＯＢＵ先までの情報のことであり、１個のＶＯＢＵの記録時間が０．５秒であるので、時間にして１０秒先である。また、ＦＷＤＩ６０は６０ＶＯＢＵ先までの情報のことであり、時間にして３０秒先である。
【００１５】
ここで、上記したように、１時間記録モード時におけるＣｅｌｌの時間を１５秒に設定しており、ＤＶＤ−ＶＩＤＥＯ規格では、この２つのＣｅｌｌにまたがってＶＯＢＵサーチインフォメーション（ＶＯＢＵ＿ＳＲＩ）の情報を持つことができない。つまり、ＶＯＢＵサーチインフォメーション（ＶＯＢＵ＿ＳＲＩ）の情報は、最大でも１５秒先までの情報しか持つことができない。従って、本発明では、ＶＯＢＵサーチインフォメーション（ＶＯＢＵ＿ＳＲＩ）の情報として、２０ＶＯＢＵ先（１０秒先）までと規定している。
【００１６】
上記のような構成とした上で、本発明ではさらに、１時間記録モードは固定ビットレートでかつＶＯＢＵサイズを固定として記録し、それ以外の記録モードは可変ビットレートで記録する。これにより、画質や音質に影響されることなく、記録バッファのメモリ容量を低減することができる。
【００１７】
また、本発明の情報記録装置は、アナログ信号からデジタル信号に変換された映像情報を光ディスクに記録可能な形式に変換するＭＰＥＧエンコーダ部を備えており、このＭＰＥＧエンコーダ部においてＶＯＢ（Ｖｉｄｅｏ  Ｏｂｊｅｃｔ）の分割を行い、その分割情報をナビゲーションパック（ＮＶ＿ＰＣＫ）に記録することを特徴としている。この場合、前記分割情報には、ＶＯＢ（Ｖｉｄｅｏ  Ｏｂｊｅｃｔ）の最初の表示時間であるビデオスタートプレゼンテーションタイム（ＶＯＢ＿Ｖ＿Ｓ＿ＰＴＭ）と、各記録時間モードに対応して決められたＶＯＢ（Ｖｉｄｅｏ  Ｏｂｊｅｃｔ）の時間から求めた最後の表示時間であるビデオエンドプレゼンテーションタイム（ＶＯＢＵ＿Ｖ＿Ｅ＿ＰＴＭ）とが含まれている。
【００１８】
時間情報であるＶＯＢ＿Ｖ＿Ｅ＿ＰＴＭやＶＯＢ＿Ｖ＿Ｓ＿ＰＴＭは、９０ｋＨｚ単位の正確な時間単位で収集する必要があるため、このような情報の収集をＭＰＥＧエンコーダ部とメインＭＣＵのデータのやり取りの中で行っていたのでは、収集した情報と時間との一致性を確保することが難しいが、本発明のようにストリームデータの作成をＭＰＥＧエンコーダ部単独で行う構成とすることにより、時間と情報の一致性を容易に確保することができる。
【００１９】
【発明の実施の形態】
以下、本発明の実施の形態について、図面を参照して説明する。
図１は、本発明の画像記録装置に係わるＤＶＤレコーダの回路ブロック図である。
【００２０】
ディスクモータ２によって回転駆動される光ディスク１から情報を検出するピックアップ３の出力は、ＲＦアンプ４を介して、図示しないＡＴＡＰＩコントローラを内蔵した信号処理プロセッサ１２に導かれている。また、信号処理プロセッサ１２には、ＲＦアンプ４によって増幅され、ＤＶＤ規格に従ってデコードされたデータ（ここではＭＰＥＧ（Ｍｏｔｉｏｎ  Ｐｉｃｔｕｒｅ  Ｅｘｐｅｎｔ  Ｇｒｏｕｐ  ）により圧縮されている）を一旦格納するトラックバッファＲＡＭ（ＳＤＲＡＭ等）７ａが接続されている。これらＲＦアンプ４及び信号処理プロセッサ１２は、フロントエンドＭＣＵ８によって制御される。
【００２１】
サーボ処理回路６は、フロントエンドＭＣＵ８から信号処理プロセッサ１２を経由して送受信されるコマンドや制御データに従って、ピックアップ３に対するフォーカシングサーボやトラッキングサーボのサーボ制御を行うとともに、ピックアップ３全体を光ディスク１の半径方向に移動させるためのスレッドモータ９の制御や、光ディスク１を装填する図示しないトレイを駆動するトレイモータ１０の制御を行う。
【００２２】
また、信号処理プロセッサ１２は、バッファＲＡＭ７ｂが接続されたＡＴＡＰＩコントローラ５を介してＡ／Ｖ（Ａｕｄｉｏ／Ｖｉｄｅｏ  ）デコーダ１１に接続されており、Ａ／Ｖデコーダ１１の出力は、ビデオ出力端子１３ａ，１３ｂを有するビデオエンコーダ１３と、オーディオ出力端子１４ａを有するＤ／Ａコンバータ１４とに接続されている。Ａ／Ｖデコーダ１１は、トラックバッファＲＡＭ７から読み出されたＭＰＥＧにより圧縮されているデータを伸長する。また、Ａ／Ｖデコーダ１１には、伸長したデジタルのデータを数画面分格納するためのＡ／ＶデコードＲＡＭ（ＳＤＲＡＭ等）１５が接続されている。
【００２３】
また、ビデオ入力端子１８ａ，１８ｂを有するビデオデコーダ１８の出力、及びオーディオ入力端子１９ａを有するＡ／Ｄコンバータ１６の出力は、ＴＢＣ／ＦＳ（Ｔｉｍｅ  Ｂａｓｅ  Ｃｏｒｒｅｃｔｏｒ／Ｆｒａｍｅ  Ｓｙｎｃｈｒｏｎｉｚｅ）回路１７を介してＡ／Ｖ（Ａｕｄｉｏ／Ｖｉｄｅｏ  ）エンコーダ１６に接続されており、Ａ／Ｖ（Ａｕｄｉｏ／Ｖｉｄｅｏ  ）エンコーダ１６の出力がＡＴＡＰＩコントローラ５を介して信号処理プロセッサ１２に接続されている。また、Ａ／Ｖエンコーダ１６には、Ａ／Ｖ変換したデジタルのデータを数画面分格納するためのＡ／ＶエンコードＲＡＭ（ＳＤＲＡＭ等）２０が接続されている。また、ビデオデコーダ１８及びＡ／Ｄコンバータ１９には、アンテナ端子２１ａを有するチューナ回路２１の各出力が導かれている。Ａ／Ｖエンコーダ１６は、Ａ／ＶエンコードＲＡＭ２０に格納されているデータをＭＰＥＧにより圧縮してＡＴＡＰＩコントローラ５に出力する。
【００２４】
また、ＡＴＡＰＩコントローラ５、Ａ／Ｖデコーダ１１及びＡ／Ｖエンコーダ１６は、バックエンドＭＣＵ２２に接続されており、バックエンドＭＣＵ２２には、ワークＲＡＭ２３とフラッシュメモリ２４とが接続されている。
【００２５】
また、バックエンドＭＣＵ２２には、ＬＣＤ等からなるフロントパネル２６の表示制御を行うフロントパネルコントローラ２５が接続されており、フロントパネルコントローラ２５には、キー入力部２７の出力が導かれている。また、フロントパネルコントローラ２５には、リモコン２８からの送信信号を受信する受信部（図示省略）が設けられている。
【００２６】
ここで、上記構成のＤＶＤレコーダにおける記録時の動作と再生時の動作について簡単に説明する。ただし、記録時の動作については、チューナ回路２１からではなく、ビデオ入力端子１８ａ，１８ｂ及びオーディオ入力端子１９ａから信号が入力された場合について説明する。
【００２７】
ビデオ入力端子１８ａ，１８ｂから入力されたアナログのビデオ信号は、ビデオデコーダ１８でアナログ信号からデジタル信号に変換され、ＴＢＣ／ＦＳ回路１７に入力される。同様に、オーディオ入力端子１９ａから入力されたアナログのオーディオ信号は、Ａ／Ｄコンバータ１９でアナログ信号からデジタル信号に変換され、ＴＢＣ／ＦＳ回路１７に入力される。ＴＢＣ／ＦＳ回路１７では、これら入力信号の時間軸補正やフレーム同期などの処理を行ってＡ／Ｖエンコーダ１６に転送する。Ａ／Ｖエンコーダ１６では、ビデオデータのＭＰＥＧによるデータ圧縮、オーディオデータの圧縮、ＮＶ＿ＰＣＫの付加などのストリームを生成する。ストリームデータは、Ａ／ＶエンコードＲＡＭ２０に一旦蓄えられた後、再び読み出されてＡＴＡＰＩコントローラ５に順次転送される。ＡＴＡＰＩコントローラ５では、転送されてきたビデオデータをバッファＲＡＭ７ｂに順次蓄える。このとき、バックエンドＭＣＵ２２でＮＶ＿ＰＣＫの必要情報を付加する。この後、バックエンドＭＣＵ２２による書き込み指示を待つ。
【００２８】
バッファＲＡＭ７ｂに蓄えられたデータは、バックエンドＭＣＵ２２による書き込み指示を受け取ったフロントエンドＭＣＵ８が、信号処理プロセッサ１２を介してバッファＲＡＭ７ｂに蓄えられたデータを読み出し、ＡＴＡＰＩコントローラ５を経由して信号処理プロセッサ１２のバッファＲＡＭ７ａに一旦蓄えた後、サーボ回路６や光ピックアップ３を制御して、光ディスク１にデータの記録を行う。このときの記録方式は、１時間記録モードでは固定ビットレートで記録し、これ以外のモード、すなわち、２時間以上の記録モードでは可変ビットレートで記録する。
【００２９】
次に、再生時の動作について説明する。
バックエンドＭＣＵ２２による読み出し指示を受け取ったフロントエンドＭＣＵ８は、サーボ処理回路６を介して光ピックアップ３を制御する。これにより、光ディスク１に記録されたデータがピックアップ３で検出され、ＲＦアンプ４で波形整形と増幅とが行われた後、信号処理プロセッサ１２を介してＡＴＡＰＩコントローラ５のバッファＲＡＭ７ｂに順次蓄えられ。
【００３０】
そして、バッファＲＡＭ７ｂに蓄えられたデータは、Ａ／Ｖデコーダ１１に転送されて、ここでＭＰＥＧによる圧縮データの伸長が行われてビデオデータにデコードされる。デコードされたビデオデータは、Ａ／ＶデコードＲＡＭ１５に一旦蓄えられた後、再び読み出されてビデオエンコーダ１３に順次転送され、ここでアナログのビデオ信号に変換されてビデオ出力端子１３ａ，１３ｂから出力される。
【００３１】
一方、オーディオデータについては、ビデオデータと同様にバッファＲＡＭ７ｂからＡ／ＶデコードＲＡＭ１５に一旦蓄えられた後、再び読み出されてＤ／Ａコンバータ１４に順次転送され、ここでアナログのオーディオ信号に変換されて
オーディオ出力端子１４ａから出力される。
【００３２】
上記構成のＤＶＤレコーダにおいて、本発明では、光ディスク１への情報の記録時、ＤＶＤ−ＶＩＤＥＯ規格に従い、リアルタイムデータの再生単位であるＣｅｌｌを１個のＶＯＢで構成し、このＶＯＢを複数個のＶＯＢＵ（Ｖｉｄｅｏ  ＯｂｊｅｃｔＵｎｉｔ  ）で構成し、かつ、ＶＯＢＵに含まれるナビゲーションパック（ＮＶ＿ＰＣＫ）のＶＯＢＵ間の位置情報を示すＶＯＢＵサーチインフォメーション（ＶＯＢＵ＿ＳＲＩ）の情報を、１個のＶＯＢＵの再生時間を０．５秒として１時間記録モードでは２０ＶＯＢＵ先（１０秒先）までと規定する。また、Ｃｅｌｌを、１時間記録モードにおいて１５秒の記録時間に設定する。
【００３３】
ＤＶＤ−ＶＩＤＥＯ規格では、Ｃｅｌｌの数は２５５個までと規定されている。１時間記録モードで記録する場合、１時間は３６００秒であるので、この３６００秒を２５５で割ると、Ｃｅｌｌの記録時間は約１４．１２秒となる。従って、２５５個以下できりの良い時間としては、１５秒となる。従って、Ｃｅｌｌの記録時間は、２時間記録モードでは３０秒、４時間記録モードでは６０秒、６時間記録モードでは９０秒となる。
【００３４】
また、ＤＶＤ−ＶＩＤＥＯ規格では、ＶＯＢＵサーチインフォメーション（ＶＯＢＵ＿ＳＲＩ）の情報は、フォワードアイ（ＦＷＤＩ２４０）からバックワードアイ（ＢＷＤＩ２４０）まであり、フォワードアイ（ＦＷＤＩ）の情報については、ＦＷＤＩ１〜１５、ＦＷＤＩ２０、ＦＷＤＩ６０、ＦＷＤＩ１２０、ＦＷＤＩ２４０となっている。つまり、ＦＷＤＩ２０の次はＦＷＤＩ６０となっており、その間の情報は持たないようになっている。ＦＷＤＩ２０は２０ＶＯＢＵ先までの情報のことであり、１個のＶＯＢＵの再生時間が０．５秒の場合、時間にして１０秒先である。また、ＦＷＤＩ６０は６０ＶＯＢＵ先までの情報のことであり、時間にして３０秒先である。
【００３５】
ここで、上記したように、１時間記録モード時におけるＣｅｌｌの時間を１５秒に設定しており、ＤＶＤ−ＶＩＤＥＯ規格では、２つのＣｅｌｌにまたがってＶＯＢＵサーチインフォメーション（ＶＯＢＵ＿ＳＲＩ）の情報を持つことができない。つまり、ＶＯＢＵサーチインフォメーション（ＶＯＢＵ＿ＳＲＩ）の情報は、最大でも１５秒先までの情報しか持つことができない。従って、本発明では、ＶＯＢＵサーチインフォメーション（ＶＯＢＵ＿ＳＲＩ）の情報として、２０ＶＯＢＵ先（１０秒先）までと規定している。
【００３６】
上記のような構成とした上で、本発明ではさらに、１時間記録モードは固定ビットレート（ＣＢＲ）で記録し、それ以外の２時間以上の記録モードはいずれも可変ビットレート（ＶＢＲ）で記録する。これにより、画質や音質に影響されることなく、トラックバッファＲＡＭ７のメモリ容量を低減することができる。なお、１時間記録モードは最高レートで記録するため、固定ビットレートと可変ビットレートで画質に差はない。
【００３７】
また、本発明では、アナログ信号からデジタル信号に変換された映像情報を光ディスクに記録可能な形式に変換するＭＰＥＧエンコーダ部を構成するＡ／Ｖエンコーダ１６においてＶＯＢ（Ｖｉｄｅｏ  Ｏｂｊｅｃｔ）の分割を行い、その分割情報をナビゲーションパック（ＮＶ＿ＰＣＫ）に記録する構成としている。具体的には、ここで言う分割情報とは、ＶＯＢ（Ｖｉｄｅｏ  Ｏｂｊｅｃｔ）の最初の表示時間であるビデオスタートプレゼンテーションタイム（ＶＯＢ＿Ｖ＿Ｓ＿ＰＴＭ）と、各記録時間モードに対応して決められたＶＯＢ（Ｖｉｄｅｏ  Ｏｂｊｅｃｔ）の時間から求めた最後の表示時間であるビデオエンドプレゼンテーションタイム（ＶＯＢＵ＿Ｖ＿Ｅ＿ＰＴＭ）とのことである。
【００３８】
時間情報であるＶＯＢ＿Ｖ＿Ｅ＿ＰＴＭやＶＯＢ＿Ｖ＿Ｓ＿ＰＴＭは、９０ｋＨｚ単位の正確な時間単位で収集する必要があるため、このような情報の収集をＡＴＡＰＩコントローラ５とフロントエンドＭＣＵ８（メインＭＣＵ）とのデータのやり取りの中で行っていたのでは、収集した情報と時間との一致性を確保することが難しい。そこで、本発明では、このようなＶＯＢ＿Ｖ＿Ｅ＿ＰＴＭやＶＯＢ＿Ｖ＿Ｓ＿ＰＴＭを含むストリームデータの作成を、ＡＴＡＰＩコントローラ５単独で行う構成としている。これにより、時間と収集した情報との一致性を容易に確保することができる。また、フロントエンドＭＣＵ８の負荷を軽減することもできる。
【発明の効果】
本発明の情報記録装置は、光ディスクへの情報の記録時、ＤＶＤ−ＶＩＤＥＯ規格に従い、リアルタイムデータの再生単位であるＣｅｌｌを１個のＶＯＢで構成し、このＶＯＢを複数個のＶＯＢＵ（Ｖｉｄｅｏ  Ｏｂｊｅｃｔ  Ｕｎｉｔ  ）で構成し、かつ、ＶＯＢＵに含まれるナビゲーションパック（ＮＶ＿ＰＣＫ）のＶＯＢＵ間の位置情報を示すＶＯＢＵサーチインフォメーション（ＶＯＢＵ＿ＳＲＩ）の情報を、１個のＶＯＢＵの再生時間を０．５秒として１時間記録モードでは２０ＶＯＢＵ先（１０秒先）までと規定し、かつ、前記Ｃｅｌｌを、１時間記録モードにおいて１５秒の記録時間に設定している。そして、１時間記録モードは固定ビットレートで記録し、それ以外の記録モードは可変ビットレートで記録する構成としている。これにより、画質や音質に影響されることなく、記録バッファのメモリ容量を低減することができる。
また、本発明の情報記録装置は、ＭＰＥＧエンコーダ部においてＶＯＢの分割を行い、その分割情報であるＶＯＢ（Ｖｉｄｅｏ  Ｏｂｊｅｃｔ）の最初の表示時間であるビデオスタートプレゼンテーションタイム（ＶＯＢ＿Ｖ＿Ｓ＿ＰＴＭ）及び最後の表示時間であるビデオエンドプレゼンテーションタイム（ＶＯＢ＿Ｖ＿Ｅ＿ＰＴＭ）をナビゲーションパック（ＮＶ＿ＰＣＫ）に記録する構成としている。すなわち、ストリームデータの作成をＭＰＥＧエンコーダ部単独で行う構成としたので、時間と情報の一致性を容易に確保することができる。また、ＭＰＥＧエンコーダ部とメインＭＣＵとのデータのやり取りも不要となるので、メインＭＣＵの負荷を軽減することもできる。
【図面の簡単な説明】
【図１】本発明の画像記録装置に係わるＤＶＤレコーダの回路ブロック図である。
【図２】ＤＶＤ−ＶＩＤＥＯ規格のＶＯＢＳ（Ｖｉｄｅｏ  Ｏｂｊｅｃｔ  Ｓｅｔ）の基本構成を示す説明図である。
【図３】ナビゲーションパック（ＮＶ＿ＰＣＫ）の構成を示す説明図である。
【符号の説明】
１  光ディスク
３  光ピックアップ
４  ＲＦアンプ
５  ＡＴＡＰＩコントローラ
６  サーボ処理回路
７ａ  トラックバッファＲＡＭ
７ｂ  バッファＲＡＭ
８  フロントエンドＭＣＵ
１１  Ａ／Ｖデコーダ
１２  信号処理プロセッサ
１３  ビデオエンコーダ
１４  Ｄ／Ａコンバータ
１５  Ａ／ＶデコードＲＡＭ
１６  Ａ／Ｖエンコーダ
１７  ＴＢＣ／ＦＳ回路
１８  ビデオデコーダ
１９  Ａ／Ｄコンバータ
２０  ＡＶエンコードＲＡＭ
２１  チューナ回路
２２  バックエンドＭＣＵ
【図１】
2004227693.tif 000003
【図２】
2004227693.tif 000004
【図３】
2004227693.tif 000005